(57)【特許請求の範囲】
【請求項１】
魚入れ容器を取り付けて使用する釣用ベルトであって、
撓曲性を有する板状部材を長手方向に備えたベルト本体と、
前記板状部材において前記ベルト本体長手方向に一定の幅で形成した開口部と、
その開口部から抜脱不能に形成した滑動部を備え、前記滑動部を前記ベルト本体裏面に位置させて前記開口部に貫通して備えるスライド部材と、
前記ベルト本体裏面において、前記ベルト本体裏面に突出した前記滑動部及び前記開口部を跨いで備えられ、前記開口部に沿って複数に分散して前記ベルト本体を支持する形状を有することにより、前記開口部の幅を一定に保持するとともに、前記ベルト本体の撓曲を可能とする幅保持手段と、
を備えることを特徴とする釣用ベルト。
【請求項２】
前記板状部材には、前記ベルト本体短手方向に形成された凸条部を前記ベルト本体長手方向に複数備えることを特徴とする請求項１に記載の釣用ベルト。
【請求項３】
前記幅保持手段は、複数に分散してできる各隙間の位置に少なくとも伸縮部材を備えることを特徴とする請求項１または請求項２に記載の釣用ベルト。
【請求項４】
前記幅保持手段は、複数に分散してできる各隙間に、前記ベルト本体の短手方向に凹部を形成してなる伸縮部を連結するように備えることを特徴とする請求項１または請求項２に記載の釣用ベルト。
【請求項５】
前記スライド部材は、前記板状部材を挟んで前記滑動部に対向するように挟持部をさらに備えるものであることを特徴とする請求項１乃至請求項４のいずれか１項に記載の釣用ベルト。
【請求項６】
前記板状部材は、前記開口部長手方向と平行となるように、かつ、前記開口部を間に挟んで対向するように形成された一対のレール部を備え、前記ベルト本体に対する前記滑動部の接触部は、そのレール部にて前記開口部から遠い部分である外側面、もしくは、その外側面付近の前記板状部材に接触する形状をなすものであることを特徴とする請求項１乃至請求項５のいずれか１項に記載の釣用ベルト。
【請求項７】
前記滑動部は、前記接触部として回動自在に取り付けた回転体を備えるものであることを特徴とする請求項６に記載の釣用ベルト。
【発明の詳細な説明】
【技術分野】
【０００１】
本発明は、鮎釣り等で釣人が腰に取り付け、魚入れ容器を取り付けることができる釣用ベルトに関する。
【背景技術】
【０００２】
従来、釣用ベルトとして、ベルト本体の側面に案内紐を設けたものが開示されている。この案内紐には、引舟やびく等の魚入れ容器を取り付けるためのものである。すなわち、魚入れ容器に備えたロープを案内紐に結びつけたり、ロープの端に備えた取付け具を案内紐に掛止したりすることによって魚入れ容器のロープの結び目、または取付け具を移動可能とするものである。そのため、釣人が、この釣用ベルトを腰に装着し、魚入れ容器を案内紐に取り付けた状態で、川の流れに立ち入ると、魚入れ容器が川下方向へ流され、ロープの結び目、または取付け具が案内紐に沿って移動することになる。このとき、結び目、または取付け具は、川下方向に位置する付近で停止する。この状態で釣人が身体の向きを変えると、例えば、川を横切る方向から川下方向に身体を回転させると、結び目または取付け具が案内紐に沿って移動し、やはり川下方向に位置する付近で停止する。
【０００３】
このように、上記釣用ベルトは、案内紐にて、ロープの結び目、または取付け具が魚入れ容器の流される方向へ自動的に移動し川下方向に位置することにより、魚入れ容器のロープが釣人の身体にからんだり巻きついたりするのを防止することを可能とするものである。
【０００４】
【特許文献１】実開平６−１１４７１号公報
【発明の開示】
【発明が解決しようとする課題】
【０００５】
しかしながら、上記の釣用ベルトでは、釣用ベルトに取り付けた魚入れ容器が川の流れによって下流に流されると、ロープに繋がった案内紐とベルト本体とが離され、その間に隙間が生じてしまう。そのため、釣竿に取り付けた仕掛けが案内紐にからんだり、竿尻がその隙間に入り込んだりして釣りの障害になってしまう。また、魚入れ容器が川の流れによって下流に流されると、ロープの結び目、または取付け具部分の案内紐の形状が屈曲した状態となり、ロープの結び目、または取付け具が案内紐に沿ってスムーズに移動できない状態になってしまう。
【０００６】
そこで、上述のように仕掛けのからみ等による釣りのトラブルの発生を防止し、しかも、魚入れ容器のロープが釣人の身体にからんだり巻きついたりするのことを従来のものよりも改善できる釣用ベルトを提供することを課題とする。
【課題を解決するための手段】
【０００７】
本発明にかかる釣用ベルトは、「魚入れ容器を取り付けて使用する釣用ベルトであって、撓曲性を有する板状部材を長手方向に備えたベルト本体と、前記板状部材において前記ベルト本体長手方向に一定の幅で形成した開口部と、その開口部から抜脱不能に形成した滑動部を備え、前記滑動部を前記ベルト本体裏面に位置させて前記開口部に貫通して備えるスライド部材と、前記ベルト本体裏面において、前記ベルト本体裏面に突出した前記滑動部及び前記開口部を跨いで備えられ、前記開口部に沿って複数に分散して前記ベルト本体を支持する形状を有することにより、前記開口部の幅を一定に保持するとともに、前記ベルト本体の撓曲を可能とする幅保持手段と、を備える」ものである。
【０００８】
ここで、「魚入れ容器」とは、生かした状態で魚を保管することができる容器のことであり、ロープ等を介して釣用ベルトに取り付けることができる容器のことを示す。開口部が、「ベルト本体の長手方向に形成した」とは、開口部の形状が直線状に限らず、曲線状であることも含み、ベルト本体と平行に形成したものに限定せず、ベルト本体の範囲内で傾斜したものも含む。「開口部に貫通して備える」とは、スライド部材を移動可能に備えることを意味し、例えば、スライド部材の断面形状をＴ字形状に形成し、ベルト本体の裏側から開口部に貫通させて掛止するものである。
【０００９】
「ベルト本体裏面に位置させて」とは、幅保持手段がベルト本体の裏側部分に位置することによって、スライド部材の移動を妨害しないようにすることを示す。「開口部から抜脱不能に形成し」とは、例えば、滑動部が板状をなすものであり、開口部の幅より全体的に大きく形成されたもの、一部の長さを開口部の幅より長く形成するもの、開口部へのスライド部材取付け時に、ベルト本体面と垂直方向でのスライド部材の断面形状をＴ字状に形成するもの、滑動部の形状を球体形状とし、その直径を開口部の幅より大きいものとする等である。また、スライド部材が開口部に貫通する部分は、円柱体、立方体等、開口部を貫通可能な形状であればどのように形成したものでもよく、また、スライド部材を開口部に備えたとき、開口部に貫通した方向を軸としてスライド部材の回動を可能する形状のものも含む。
【００１０】
「ベルト本体裏面に突出した滑動部及び開口部を跨いで」とは、板状部材と対面する部分の形状がベルト本体裏面に突出した滑動部及び開口部を跨ぐことが可能な形状、例えば、弧状、コ字状等の形状であり、スライド部材の移動を可能とする状態であることを示す。すなわち、ベルト本体と幅保持手段との間にスライド部材の滑動部の移動する移動空間を有する状態であることを意味する。「開口部に沿って複数に分散して」とは、等間隔、ランダムな間隔等、複数に分散されたものが自由な間隔の隙間を有することを示している。幅保持手段において、ベルト本体と対面する部分の断面形状は、弧状、コ字状等自由に設定できる。
【００１１】
釣用ベルトには、釣人の腰に巻いて装着するとき、ベルト本体間を連結する連結手段を備えたものを含む。この連結手段には、どのような構造のものも含み、例えば、ベルト本体の一端に設けたソケット部材と、ベルト本体の他端に設け、ソケット部材に連結解除自在に設けたスタッド部材とを備えた釣用ベルト、または、ベルト本体の一端に設け、ベルト本体の他端を挿入する通過孔と通過したベルト本体をロックするロック機構を備えた釣用ベルト等である。「スライド部材」は、魚入れ容器のロープ、またはそのロープに備えた取付け具を取付け可能な取付手段を備えるものである。例えば、スライド部材の表側に設けた、ロープを結びつけるための環を備えるもの、ロープを挟んでロックする取付機構を備えたもの、取付け具に係合する係合部をスライド部材に備え、取付け具と係合部とを係合して取り付けるもの等である。
【００１２】
本発明によれば、上記のとおり、スライド部材は、魚入れ容器のロープを結びつけたり、挟んだり、ロープに備えた取付具を掛止したりして魚入れ容器を取り付けることが可能なものである。スライド部材の滑動部を開口部の幅より大きく形成しているため、スライド部材を開口部に貫通して備えると、開口部から抜脱不能となる。ゆえに、開口部に掛止して、開口部から脱離不能にし、スライド部材を開口部に沿って自由に移動させることが可能となる。
また、幅保持手段は、ベルト本体裏面に突出した滑動部及び開口部を跨いでベルト本体裏面に備えられている。開口部の幅を一定に保つことにより、開口部の幅が拡がったり狭くなったりすることを防止できる。そのため、開口部の幅の拡がりによってスライド部材が開口部から抜脱したり、開口部の幅が狭くなることによりスライド部材が移動しにくくなったり、スライド部材が開口部に挟まったりするようなトラブルを防止することが可能となる。そして、幅保持手段は、ベルト本体の裏側に位置するため、スライド部材、及びそのスライド部材に取り付けられたロープの移動を妨害しないものとなっている。したがって、スライド部材を開口部に沿って自由に移動させることが可能となる。
幅保持手段は、ベルト本体長手方向に複数に分散して備えられている。そのため、幅保持手段には複数の隙間を有することになり、その隙間の幅をベルト本体の長手方向に伸縮可能とすることにより、釣用ベルトの撓曲が可能となる。それゆえ、釣人は釣用ベルトを平らにしたり、撓曲させたりすることができ、釣用ベルトを着脱する際、従来の釣用ベルトと同様の使用ができる。
【００１３】
釣人が釣用ベルトを腰に装着する場合、釣用ベルトを撓曲させる必要がある。釣用ベルトを撓曲させた場合、幅保持手段はベルト本体の撓曲可能とするものであるため、釣用ベルトを釣人の腰から取外したり、腰に装着したりする際、ベルト本体を平らにしたり、撓曲させたりすることができ、従来の釣用ベルトと同様の感覚で釣用ベルトの着脱が可能となる。
【００１４】
次に、この釣用ベルトを釣人が腰に装着し、川に立ち入った場合には、魚入ロープ、またはロープの端に備えた取付け具を介してスライド部材に取り付けられた魚入れ容器は川下方向へ流される。そして、スライド部材に張力が加わると、開口部に貫通しているスライド部材を、開口部の形状に沿って、魚入れ容器が流されている川下方向に移動させようとする。このとき、板状部材は撓曲可能なものであるため、また、幅保持手段をベルト本体の撓曲に応じて変形させることが可能であるため、ベルト本体が過度に屈曲した状態にならず、川下方向へ開口部に沿って自動的にスライド部材を移動させることが可能となる。このとき、スライド部材は、開口部にて魚入れ容器に最も近い位置、すなわち、開口部での最も川下に近い位置に移動する。この状態で、釣人が身体の向きを変える、例えば、身体を川岸方向から川下方向へ向けたり、川下方向から川上方向へ向けたりすると、スライド部材は、川下に向かって移動しようとする。このように、釣人の身体の向きに応じてスライド部材を川下位置に自動的に移動させることができるため、ロープが釣人の身体にからんだり巻きついたりすることが防止でき、釣りの妨害にならないようにすることが可能となる。
【００１５】
また、スライド部材は、案内紐を用いることなく、ベルト本体に直接備える構成となっている。そのため、スライド部材とベルト本体とが離れず、スライド部材とベルト本体との間に隙間が生じない。したがって、従来の釣用ベルトのように、釣竿に取り付けた仕掛けや竿尻が案内紐にからんだり、その案内紐の隙間に入り込んだりすることによる釣りの妨害を生じなくすることができる。また、スライド部材が引張られる力をベルト全体で受ける構成になっているため、ベルト本体の変形を小さく抑えることが可能となり、スライド部材の移動に与える影響を小さくできる。
【００１６】
ところで、釣用ベルトにおいて、装着時にベルト本体間を連結する連結手段には、開口部を備えることが困難である。そのため、ソケット部材とスタッド部材とを備える釣用ベルトでは、開口部の形成範囲は、ソケット部材とスタッド部材との間に制限されることになる。しかし、腰に装着した釣用ベルトを釣人の身体に対して相対的に腰周りにずらし（回動し）、体の正面、側面、背面等、所望する位置に開口部を移動させることによって、スライド部材の移動範囲を変更することが可能である。
【００１７】
また、本発明の釣用ベルトにおいて、「前記板状部材には、前記ベルト本体短手方向に形成された凸条部を前記ベルト本体長手方向に複数備える」構成とすることもできる。
【００１８】
これによれば、板状部材には、ベルト本体の短手方向に形成した凸条部をベルト本体の長手方向に等間隔に形成している。この凸条部を形成することにより、強い力がスライド部材に加わったとき、板状部材を変形させるのを防止することが可能となる。そして、板状部材が変形しないため、スライド部材の移動が妨げられたり、スライド部材が開口部から外れたりするトラブルの発生を防止することができる。
【００１９】
また、本発明の釣用ベルトにおいて、「前記幅保持手段は、複数に分散してできる各隙間の位置に少なくとも伸縮部材を備える」構成とすることもできる。
【００２０】
ここで、「伸縮部材」とは、弾性や伸縮性等を有する材質によって形成されたものや、屈曲したり変形したりすることが可能な形状のもの等であることを意味し、幅保持手段に備えられたとき、ベルト本体の撓曲に追従することが可能なものを示す。
【００２１】
これによれば、幅保持手段は、幅保持手段に有する隙間に位置するように伸縮可能な、または撓曲可能な伸縮部材を備えている。そのため、釣用ベルト装着時に、伸縮部材は、釣人の着ている服が隙間から移動空間内に侵入するのを防止することができる。したがって、ベルト本体裏側にて、服が滑動部に接触したり、隙間に挟まったりすることがなく、スライド部材をスムーズに移動させることが可能となる。また、伸縮部材がベルト本体の長手方向に伸縮性を有するため、釣用ベルトを腰から着脱する際、釣用ベルトを平らにしたり、撓曲したりすることも可能である。そのため、上述した釣用ベルトと同様の効果を失うことなく、釣用ベルトの着脱ができる。
【００２２】
また、本発明の釣用ベルトにおいて、「前記幅保持手段は、複数に分散してできる各隙間に、前記ベルト本体の短手方向に凹部を形成してなる伸縮部を連結するように備える」構成とすることもできる。
【００２３】
これによれば、幅保持手段は、複数に分散してできる各隙間に、凹部を形成してなる伸縮部を連結したものであって、滑動部及び開口部を跨ぐよう形成してベルト本体に備えている。つまり、凹部は、ベルト本体短手方向に形成された状態でベルト本体長手方向に複数存在している。
幅保持手段は、ベルト本体裏面に突出した滑動部及び開口部を跨ぐよう形成されて設けられ、ベルト本体との間にスライド部材が移動する移動空間を形成し、開口部幅を一定に保っている。
凹部は、他の部分より薄く形成されたものであるため、ベルト本体の撓曲に追従して変形し、釣用ベルトを撓曲可能とするものである。したがって、幅保持手段が伸縮性と撓曲性を備えることにより、釣用ベルトを着脱するとき、釣用ベルトを平らにしたり、撓曲したりすることが可能となる。また、釣用ベルト装着時に、着ている服がベルト本体裏側の各隙間から侵入するのを防止することにより、ベルト使用時に着ている服が滑動部に接触したりすることを防止でき、スライド部材をスムーズに移動させることが可能となる。
【００２４】
ところで、取り付けた魚入れ容器が岩に衝突したり、強い川の流れに流されたりしてスライド部材に強い引張り力が加わる場合がある。すると、スライド部材の位置するベルト本体部分が、その表面の法線方向へ強く引かれる力を受ける。そして、その位置でのベルト本体の断面形状においてハの字状にベルト本体を変形させ、開口部の幅が開いてしまうことが考えられる。その結果、滑動部が開口部から抜出してスライド部材が外れ、スライド部材に取り付けた魚入れ容器を失ってしまうことも予想される。
【００２５】
そこで、本発明の釣用ベルトにおいて、「前記スライド部材は、前記板状部材を挟んで前記滑動部に対向するように挟持部をさらに備えるものである」構成を加えることもできる。
【００２６】
ここで、「挟持部」は、滑動部の接触部に対向する位置で接触部に近接すれば、どのような形状をなしたものでもよく、球形状、板形状、円柱形状等、を有してもよい。例えば、板形状のものであって、接触部に対向する部分を接触部方向に曲成したものや、棒状のものであって、接触部に対向する部分を球体形状に形成したもの等である。
【００２７】
これによれば、スライド部材において、板状部材を挟んで接触部に対向する位置に挟持部を備え、板状部材に近接している。スライド部材が強い力で引張られると、滑動部が板状部材に強く当接し、ベルト本体の断面形状において板状部材をハの字状に変形させようとする力が板状部材に加わる。しかし、スライド部材は板状部材を滑動部とで挟んだ状態となっているため、幅保持手段と相まって、ベルト本体の断面形状においてハの字状に板状部材が変形するのを防止することができる。したがって、開口部からスライド部材が外れず、魚入れ容器を失うようなトラブルの発生を防止することができる。
【００２８】
また、本発明の釣用ベルトにおいて、「前記板状部材は、前記開口部長手方向と平行となるように、かつ、前記開口部を間に挟んで対向するように形成された一対のレール部を備え、前記ベルト本体に対する前記滑動部の接触部は、そのレール部にて前記開口部から遠い部分である外側面、もしくは、その外側面付近の前記板状部材に接触する形状をなす」構成とすることもできる。
【００２９】
ここで、レール部の断面形状は、円形、矩形等どのような形状のものも含み、レール部を設ける面は、板状部材の両面、または片面のみのどちらの場合も含む。レール部の設ける位置は、開口部の縁部、開口部から少し離れた部分であり、スライド部材の接触部がレール部と接触可能な範囲である。
【００３０】
これによれば、接触部は、レール部、またはレール部及び板状部材に近接している。このとき、レール部は開口部を補強する効果も有する。ここでの「近接」には、接近の意味だけでなく接触の意味も含む。魚入れ容器が川下方向へ流されると、スライド部材は、接触部がレール部または板状部材に接触しながら、川下に向かって移動することになる。このとき、接触部は、開口部から遠いレール部外側と接触した状態、換言すると、接触部が開口部とレール部との距離より離れた位置と接触した状態であるため、スライド部材はレール間を連結する状態となっている。その結果、幅保持手段と相まって、開口部の幅の開きを防止することができる。したがって、開口部からスライド部材が外れず、魚入れ容器を失うようなトラブルの発生を防止することができる。
【００３１】
スライド部材が、挟持部を備えている場合には、接触部と挟接部とで挟持されており、レール部の厚みが板状部材の厚みより厚くなっているため、レール部の厚みが接触部と挟持部との間隔、すなわち、接触部と、それに対向する挟持部との距離より長いため、接触部と挟持部と間を通過することができない。そのため、接触部と挟持部が板状部材を挟みながらレール部に沿ってスライドすることが可能となる。
【００３２】
接触部または挟持部は、開口部から遠いレール部外側と接触した状態となっている。すなわち、接触部が開口部とレール部との距離より離れた位置と接触している。そのため、接触部と挟持部とで挟持され、スライド部材はレール部に沿ってスライドしながらレール間を連結する状態となっている。このとき、スライド部材が強い力で引張られると、滑動部がベルト本体に強く当接し、ベルト本体の断面形状においてハの字状に変形させようとする力がベルト本体に作用する。しかし、接触部がレール部に接触して掛止するので、スライド部材によってレール部間を連結した状態は保たれる。その結果、幅保持手段と相まって、開口部の幅の開きを防止することが可能となり、ベルト本体の断面形状においてハの字状にベルト本体が変形するのを防止することができる。そして、開口部からスライド部材が外れず、魚入れ容器を失うようなトラブルの発生を防止することができる。
【００３３】
また、本発明の釣用ベルトにおいて、「前記滑動部は、前記接触部として回動自在に取り付けた回転体を備える」構成とすることもできる。
【００３４】
「回転体」とは、球体、円柱体等であって回動可能な形状のものを示し、回動軸のあるものも含む。
【００３５】
スライド部材は接触部として回転体を備えている。スライド部材は、滑動部の接触部である回転体を介してベルト本体と接触し、移動するときに、回転体が自由に回動する。そのため、スライド部材は、ベルト本体との摩擦抵抗を小さくでき、スムーズに移動させることが可能となる。また、回転体はレール部に外接するため、スライド部材がベルト本体面に対して垂直方向を軸として回動するのを防止でき、回転体がレール部から脱線して開口部に嵌る等のトラブル発生を防止することができる。そして、スライド部材の移動方向が開口部の長手方向に定まるため、スライド部材をレール部に沿ってスムーズに移動させることが可能となる。
【発明の効果】
【００３６】
このように、本発明の釣用ベルトを用いると、従来の釣用ベルトと比較して、釣竿に取り付けた仕掛け糸が釣用ベルトを構成する部材にからまる等のトラブルの発生を防止することが可能となる。また、引き船やビク等が川下へ流れることに応じて、スライド部材をよりスムーズに移動させることが可能となる。さらに、従来の釣用ベルトと同様に、釣用ベルトを撓曲させることができ、釣人は、容易に釣用ベルトの着脱を可能とすることができる。また、腰に装着した釣用ベルトを釣人の身体に対して腰周りに移動し、体の正面、側面、背面等、釣人の所望する位置に開口部を移動させることができ、スライド部材の移動範囲を変更することができる。
【発明を実施するための最良の形態】
【００３７】
以下、本発明に係る釣用ベルトの実施形態としての一例を、以下に、図面に基づいて詳述する。
【００３８】
図１は、釣用ベルト１の全体構成を示し、図２は、図１とは逆方向から視た場合の釣用ベルト１の全体構成を示す斜視図である。図３は、可動アンカー５の全体形状を示す斜視図であり、図４は、図２のＡ−Ａ断面における釣用ベルト断面形状を示す断面図である。図５は、釣用ベルト１のＡ−Ａ付近を切り取り、可撓部材４の一部を取り除き、釣用ベルト１の裏側方向から視た場合の釣用ベルト内部構成を示す平面図である。
【００３９】
図１に示すように、釣用ベルト１は、ベルト本体２と、開口部３と、幅保持手段としての可撓部材４及び支持部材１３と、スライド部材としての可動アンカー５とを備えている。また、釣用ベルト１の一端には、ソケット部材６を備え、その他端には、ソケット部材６に連結解除自在のスタッド部材７を備えている。
【００４０】
図１及び図４に示すように、ベルト本体２は、合成樹脂製の板状部材８と、編板材９とからなっている。板状部材８には、ベルト本体２の長手方向に直線状に形成した開口部３を備えている。その開口部３の縁には、断面形状を円形状に形成したレール部１０を備えている。ここで、レール部の断面形状は円形に限らず、例えば、矩形であってもよい。また、レール部を設ける位置は、開口部３の縁に限定せず、例えば、ベルト本体２の裏面の開口部３から離れた開口部３の周囲であってもよい。
【００４１】
編板材９は、編みこんで板状に形成し、長手方向に長く、開口部３より大きく形成した長方形状の窓部１１を備えている。その窓部１１の中央に開口部３をちょうど位置させるように板状部材８を取り付けている。編板材９は、板状部材８を補強する効果と、釣用ベルト１の外観をよくする効果を有するものである。板状部材８と編板材９とを、どのような方法で互いを取り付けてもよく、例えば、互いを接着したり、縫い付けたりして取り付けてもよい。開口部３の長手方向の長さは、可能な限り、長く設計した方が好ましく、できれば、５０ｃｍ以上あった方が可動アンカー５の移動範囲が広がり釣用ベルトの使い勝手がよいものとなる。また、開口部３の形状は、直線状に限らず、ベルト本体２の長手方向に曲線状に形成したものであってもよく、例えば、ベルト本体２の長手方向に弧状に形成したものや、三角関数のサイン図形状に形成したものであってもよい。
【００４２】
図５に示すように、板状部材８の裏側には、支持部材１３と可撓部材４とから構成する幅保持手段を備えている。支持部材１３は、中央部を弧状に形成したものであって、両端部を同一面上に形成する、すなわち板状部材８に取付け可能な形状に形成した取付部１２を有しており、滑動部１５及び開口部３を跨いで固定されている。支持部材１３は、開口部３の長手方向に一定の間隔を有しながら複数に分散させて設けられており、開口部３の幅を一定に保つように板状部材８を支持している。支持部材１３の取付部１２の位置は、板状部材８にて開口部３から一定の距離離れており、板状部材８と支持部材１３とで囲んで移動空間１４を形成している。その移動空間１４は、可動アンカー５を移動させるための空間であり、移動空間１４を形成する板状部材８の部分は可動アンカー５と接触する部分となっている。
【００４３】
可撓部材４は、支持部材１３と同様、断面形状を円弧状に形成した合成樹脂製であり、板状部材８及び支持部材１３に取り付けられている。つまり、可撓部材４は、すべての支持部材１３及び開口部３を覆うようにベルト本体２の裏面側に取り付けられた状態となっており、伸縮部材として機能する。可撓部材４には、周方向に形成した凹部４ａを、ベルト本体２の長手方向に等間隔に備えている。すなわち、可撓部材４の周囲を蛇腹形状に形成して、可撓部材４に撓曲性を備えさせたものである。可撓部材４の断面形状は、円弧状に形成したものに限らず、例えば、断面形状をコ字状に形成したもので周囲を蛇腹形状に形成したものであってもよい。また、可撓部材４は、釣用ベルト１を平たく伸ばした状態から図１に示すように内側に撓曲させることができれば、どのような材質で形成したものであってもよく、例えば、スポンジ状のゴム製のもの、アルミニウム製の蛇腹材等であってもよい。幅保持手段である支持部材１３及び可撓部材４は、一体成形したものであってもよい。また、板状部材８、支持部材１３及び可撓部材４を一体成形したものであってもよい。
【００４４】
図３に示すように、可動アンカー５は、金属製であって、ベルト本体２の裏面に備える滑動部１５と、開口部３を貫通する貫通部１６と、釣用ベルト１の表側に備える挟持部１７と、取付手段としての環支持部１８及び環部１９とを備えている。ここで、可動アンカー５は、金属製に限定せず、例えば、合成樹脂で形成したものであってもよい。
【００４５】
滑動部１５は直方体形状をなし、その滑動部１５において板状部材８と接触する部分には、接触部として機能し、回転体としての、２つの球体２０，２１を回動自在に備えている。挟持部１７は、滑動部１５と略同形状をなし、球体２０，２１に対向する位置が滑動部１５に近接するように円柱体状に形成された、円柱部２２，２３を有している。貫通部１６は滑動部１５と挟持部１７との間に位置し、直方体形状に形成されている。貫通部１６と滑動部１５とは、滑動部１５の中心に形成した孔に、貫通部１６に形成した突出部を嵌合することにより連結している。貫通部１６の厚さ、つまり、図３の上下方向の長さは、開口部３の幅と同じか、それよりわずかに小さくなっている。環支持部１８は、挟持部１７の中央にてベルト本体２の表面側向きに、つまり、図３の左から右方向に形成され、円柱体形状をなしている。その中間付近には、貫通孔２４を設け、その貫通孔２４に環部１９を回動可能に備えている。ここで、環支持部１８には、その円柱体軸心方向に回動する回動機能を備えてもよい。
【００４６】
図４に示すように可動アンカー５は、２つの球体２０，２１と挟持部１７の円柱部２２，２３とにより、レール部１０にて開口部３に対する外側部分に近接し、板状部材８を挟み込むようにして、板状部材８に取り付けられている。このとき、球体２０，２１と円柱部２２，２３との距離がレール部１０の直径より小さく、球体２０，２１と円柱部２２，２３との間からレール部１０が抜けない状態となっている。そのため、可動アンカー５は、開口部３の幅を一定に保つとともに、レール部１０に沿って球体２０，２１が回動し、移動可能な状態となっている。このようにして、可動アンカー５は、板状部材８に取り付けられ、開口部３またはレール部１０に沿って自由に移動可能な状態になっている。
【００４７】
図１及び図２に示すように、ベルト本体２には、２つの吊下部材３０，３１をベルト本体２の長手方向にスライド自在に備えている。吊下部材３０，３１は、ベルト本体２及び可撓部材４の短手方向周囲形状に沿った形状に形成されている。吊下部材３０，３１のベルト本体２の表側には、一部を切り取って形成したアンカー通過用間隙３２，３３を有している。そのため、吊下部材３０，３１が可動アンカー５の移動の妨害とはならない。そして、吊下部材３０，３１の裏面には、取付環３４，３５を貫通して折りたたみ固定した樹脂製シート３６，３７が取り付けられている。
【００４８】
図１及び図２に示すように、スタット部材７には、ベルト本体２を通過させるための、ベルト本体２の短手方向に並列に形成した２つの調整孔５１，５２を設けている。２つの調整孔５１，５２にベルト本体２を通過させることによって、ベルト本体２とスタット部材７とを連結するとともに、ベルト本体２の長さを調整できるようになっている。そして、スタット部材７には、ソケット部材６に係合する２つの爪部５３，５４を備えている。ソケット部材６は、ベルト本体２の端部を貫通させる貫通孔５５を備え、その貫通孔５５にベルト本体２の端部を貫通して巻回固定している。そして、ソケット部材６には、爪部５３，５４を通過させる連結孔５６と爪部５３，５４を係止する爪係止孔５７，５８を備えている。また、ベルト本体２にて、スタット部材７の付近には、ベルト本体２の長さ調整によって余ったベルト本体部分を挟み止めるためのベルト調整具５９を設けている。ベルト調整具５９は、吊下部材３０，３１と同様の形状をなし、アンカー通過用間隙５９ａを有しており、可動アンカー５の移動の妨害とならなくなっている。
【００４９】
次に、本実施形態の釣用ベルト１を腰に装着して使用したときの作用、効果について、図を用いて説明する。
【００５０】
釣用ベルト１を装着する場合には、釣人５９の腰に巻きつけるために釣用ベルト１を撓曲させる必要がある。このとき、幅保持手段は、等間隔に分散して取り付けられた複数の支持部材１３と、撓曲可能な可撓部材４とにより構成されている。したがって、ベルト本体２は撓曲可能なものであり、釣用ベルト１を平状にしたり、図１に示すように湾曲させたりすることが可能である。それゆえ、一般のベルトと同様に、釣人５９は違和感を受けることなく腰に巻きつけて装着することができる。
【００５１】
釣用ベルト１を腰に巻きつけ装着する場合には、ソケット部材６の連結孔５６にスタット部材７の爪部５３，５４を挿入する。すると、爪部５３，５４が爪係止孔５７，５８に係止され、ソケット部材６とスタット部材７とを連結することができる。このとき、幅保持手段は可撓部材４を有しているため、可動アンカー５の移動する移動空間１４に衣服等が侵入するのを防止できる。そのため、腰に装着しても、可動アンカー５の移動に影響しない。脱着する場合には、爪係止孔５７，５８に係止された爪部５３，５４を指で押さえて、ソケット部材６とスタット部材７とを分離し、連結孔５６から爪部５３，５４を引抜いて容易に分離することができる。
【００５２】
釣用ベルト１を装着した状態では、可動アンカー５は、ベルト本体２において開口部３の長手方向に移動可能な状態となっている。すなわち、可動アンカー５は、滑動部１５によって、開口部３から抜脱不能なように板状部材８の裏面に掛止された状態となっている。また、滑動部１５には、板状部材８との接触部である球体２０，２１が回動自在に介在しているので、板状部材８との摩擦抵抗を小さくでき、可動アンカー５はスムーズに移動することができる。
【００５３】
図７、図８は、釣人５９が釣用ベルト１を装着し、釣竿６３を持って川に立ち入った状態を、上空から視た図である。釣人５９が引き船６０のロープ６１を環部１９に取り付けることにより、引き船６０を釣用ベルト１に装着し、川に立ち入ると、引き船６０が川下へ流される。すると、引き舟６０は繋がるロープ６１を引き、可動アンカー５は川下方向へ移動することになる。このとき、板状部材８に接触する部分は、回動する球体２０，２１であるため、抵抗なくスムーズに可動アンカー５は移動することができる。
【００５４】
釣人の向きが川の流れ７０に対し、垂直であり、川の流れが左から右方向である場合には、図７（ａ）のように、可動アンカー５は釣人５９の右横腹方向へ移動することになる。この状態から身体の向きを反時計回りに回転させ、身体の正面を川上に向けると、引き船６０は常に川下に流されるため、図７（ｂ）に示すように身体の背面方向へ可動アンカー５は移動することになる。さらに、反時計回りに体を回転させると、図７（ｃ）に示すように可動アンカー５は釣人５９の左横腹方向へ移動することになる。このように、引き舟６０の流されている方向へ可動アンカー５が位置しようとするため、釣人５９に引き舟６０のロープ６１が巻きついたり、からんだりしにくくなり、釣人５９はロープ６１の状態を気にせず、釣りに集中することができる。また、釣用ベルト１は、ベルト本体２に形成した開口部３に可動アンカー５を直接備えるため、可動アンカー５とベルト本体２とが離れて隙間を有することはない。そのため、従来の釣用ベルトのように、釣竿に取り付けた仕掛けがベルト本体から離れた案内紐にからんだり、竿尻がベルト本体と案内紐との隙間に入り込んだりするといったトラブルが発生しなくなる。また、可動アンカー５にかかる力を釣用ベルト１の全体で受けとめるため、ベルト本体２の過度な変形を抑えられ、可動アンカー５をスムーズに移動させることができる。
【００５５】
ところで、引き舟６０が激流に流されたり、引き舟６０が岩等に激突したりして、引き舟６０と繋がる可動アンカー５に強い引張り力が加わる場合がある。しかし、可動アンカー５が、レール部１０の間を連結した状態となっており、板状部材８から容易に外れない構成となっている。つまり、球体２０，２１と挟持部１７の円柱部２２，２３との対向する距離がレール部１０の断面の直径よりも小さく、球体２０，２１と円柱部２２，２３とでレール部１０を挟持しているため、球体２０，２１と円柱部２２，２３との間からレール部１０が抜出することができない状態となっている。そのため、開口部の幅の拡がりによって滑動部１５が開口部３から抜脱することはない。したがって、可動アンカー５がベルト本体２から外れず、引き舟６０を川に流されて失うといったトラブルの発生を防止することができる。また、開口部３の幅が拡がらず、ベルト本体２の断面形状において、ハの字状にベルト本体２が変形するのを防止することが可能となる。そのため、変形によって可動アンカー５の移動に影響を受けないことになる。
【００５６】
ソケット部材６とスタッド部材７とを連結することにより生じるベルト本体１の連結部位置には、開口部３を備えることが困難であり、可動アンカー５の移動範囲６２は、ソケット部材６とスタッド部材７との間に制限される。しかし、本釣用ベルト１は、図８に示すように、釣人５９の腰に装着した釣用ベルト１を釣人５９の腰周りに相対的に移動し、（ａ）のように体の正面、（ｂ）のように側面、（ｃ）のように背面等、所望する位置に開口部を移動させることによって、体の向きに対する、可動アンカー５の移動範囲６２を釣人が所望する位置に自由に設定することが可能である。そのため、引き船６０のロープ６１が釣人にからんだり巻きついたりするのを防止することができる。また、２つの吊下部材３０，３１も自由に移動可能である。そのため、釣用ベルト１の連結部分の移動に応じて吊下部材３０，３１も所望する位置、例えば、釣人の脇腹付近に移動させることによって、吊下部材３０，３１に吊り下げたものを取り扱いやすくすることができる。
【００５７】
また、網の柄を釣用ベルト１に差し入れて、網を釣用ベルト１に携帯するとき、可撓部材４の断面形状が円弧状であるため、網の柄を抵抗なく、釣用ベルト１に差し入れることができる。
【００５８】
したがって、本実施形態の釣用ベルト１を利用すれば、従来の釣用ベルトと比較して、釣竿に取り付けた仕掛け糸が釣用ベルトを構成する部材にからむ等のトラブルの発生を防止することができる。また、引き船やビク等が川下へ流れることに対応して、スライド部材が自動的に開口部での川下側へスムーズに移動し、身体に引き船やビク等のロープがからんだり巻きついたりするのを防止することができる。
さらに、従来の釣用ベルトと同様に、釣用ベルトを撓曲させることができ、釣人は、容易に釣用ベルトの着脱を可能とすることができる。また、腰に装着した釣用ベルトを釣人の身体に対して腰周りに移動し、体の正面、側面、背面等、釣人の所望する位置に開口部を移動させることができ、スライド部材の移動範囲を変更することができる。
【００５９】
また、上述した実施形態に代えて、別の構成にすることもできる。例えば、編板材を設けず、板状部材と編板材とを合成樹脂で一体成形してもよい。また、それらと幅保持手段である支持部材及び可撓部材を一体成形してもよい。板状部材は、合成樹脂製に限定せず、薄い金属薄板を用いてもよい。例えば、０．２ｍｍ程度の厚さの特殊鋼であって、板ばねのように反発力を有し、形状を維持することのできるものである。このような、金属薄板には、レール部を備えることもできる。例えば、合成樹脂でレール部を形成し、その側面の長手方向に溝を形成し、その溝を開口部の縁にはめ込むようにして取り付けることができる。
【００６０】
また、図６（ａ）（ｂ）に示すような可動アンカーを用いてもよい。図６（ａ）の可動アンカー５ａは、開口部３を貫通する貫通部１６、ベルト本体２の表面側に位置し、円柱部２２，２３を有する挟持部１７、取付手段としての環支持部１８、及び環部１９を備えている。そして、ベルト本体２の裏面側に位置する滑動部１５ａを備えている。滑動部１５ａは、貫通部１６に形成された貫通孔に回動可能に備え、その両端には、接触部として機能し、回転体としての、球体部２０ａ，２１ａを形成して備えている。また、別例として、図３及び図６（ａ）の可動アンカー５，５ａにおいて、挟持部を、図３、または図６（ａ）の滑動部のように回転体を備える、つまり、球体または球体形状を有するものにしてもよい。
【００６１】
図６（ｂ）の可動アンカー５ｂは、ベルト本体２の裏面側に位置する滑動部１５ｂ、開口部３を貫通する貫通部１６ｂ、ベルト本体２の表面側に位置する挟持部１７ｂ、及び取付手段としての環支持部１８、及び環部１９を備えている。滑動部１５ｂ及び挟持部１７ｂには、中心に貫通孔を形成し、その貫通孔に貫通部１６ｂ及び環支持部１８を貫装している。可動アンカー５ｂは、レール部を備えない釣用ベルトに用いてもよい。
【００６２】
シート３６，３７及び取付環３４，３５に換えて、吊下部材３０，３１の下方に延出する延出部を形成し、その延出部に小物入れを備えてもよい。また、可動アンカー５の移動を妨害しないような背当てを、ベルト本体の裏側に可動可能に備えてもよい。例えば、上述した吊下部材３０，３１と同形状のものを、ベルト本体２に複数取り付け、一定の間隔開いた状態で、それらをベルト本体長手方向に板状の棒材で連結した形状のものを、合成樹脂で一体成形して背当て本体を形成して、その背当て本体の裏面にスポンジ状シートを貼付けてできる背当てを備えてもよい。
【００６３】
また、釣用ベルトは、上述した実施形態に変えて、図９に示す構成にすることもできる。図９（ａ）は、釣用ベルトの一部を切取り、釣用ベルトの表側方向から視た場合の釣用ベルトを示している。図９（ｂ）は、図９（ａ）の釣用ベルトのB−Bにおける断面図である。
【００６４】
図９（ａ）の釣用ベルトは、ベルト本体２と、開口部３と、幅保持手段として機能し、伸縮部としての凹部４ａを有する可撓部材４と、移動部材としての可動アンカー５ｃとを備えている。したがって、ベルト本体２は撓曲可能なものであり、釣用ベルト１を平状にしたり、図１に示すように湾曲させたりすることが可能であることが示される。それゆえ、一般のベルトと同様に、釣人５９は違和感を受けることなく腰に巻きつけて装着することができる。
【００６５】
ベルト本体２は、合成樹脂製の板状部材８と、それを取り付ける編板材９とからなっている。板状部材８は、ベルト本体２の長手方向に直線状に形成した開口部３を備えている。そして、図９（ｂ）に示すように、板状部材８には、ベルト本体２の短手方向に形成した凸条部８ａをベルト本体２の長手方向に等間隔に形成している。この凸条部８ａを形成することにより、強い力が可動アンカー５ｃに加わったとき、板状部材８を変形させるのを防止することが可能となる。そして、板状部材８が変形しないため、可動アンカー５ｃの移動が妨げられたり、可動アンカー５ｃが開口部３から外れたりするトラブルの発生を防止することができる。また、別例として、この釣用ベルトにレール部１０を備えてもよく、その場合には可動アンカー５を用いることもできる。可動アンカー５及びレール部１０を備えることで、さらに板状部材８を補強して変形を防止することができる。
【図面の簡単な説明】
【００６６】
【図１】１実施形態に係る釣用ベルトの斜視図である。
【図２】別の方向から視た場合の釣用ベルトの斜視図である。
【図３】可動アンカーの形状を示す斜視図である。
【図４】図１のＡ−Ａ部分で切り取った釣用ベルトの断面図である。
【図５】釣用ベルト１のＡ−Ａ付近を切取り、可撓部材４の一部を取除き、釣用ベルト１の裏側方向から視た場合の釣用ベルトの平面図である。
【図６】可動アンカーの別例を示す斜視図である。
【図７】釣用ベルトを装着し、川に立ち入ったときの釣用ベルトの使用状態を示すとともに、釣人の体の向きを変化させた状態を示す、上空から視た説明図である。
【図８】釣用ベルトを装着し、使用川に立入って釣用ベルトの連結部位置を変化させた状態を示す、上空から視た説明図である。
【図９】別の実施形態に係る釣用ベルトの一部の斜視図及び断面図である。
【符号の説明】
【００６７】
１    釣用ベルト
２    ベルト本体
３    開口部
４    可撓部材
４ａ  凹部
５    可動アンカー
８    板状部材
９    編板材
１３  支持部材
【図１】
0004904530.tif 000002
【図２】
0004904530.tif 000003
【図３】
0004904530.tif 000004
【図４】
0004904530.tif 000005
【図５】
0004904530.tif 000006
【図６】
0004904530.tif 000007
【図７】
0004904530.tif 000008
【図８】
0004904530.tif 000009
【図９】
0004904530.tif 000010